【手続補正書】
【提出日】平成23年12月8日(2011.12.8)
【手続補正１】
【補正対象書類名】特許請求の範囲
【補正対象項目名】全文
【補正方法】変更
【補正の内容】
【特許請求の範囲】
【請求項１】
無線通信システム内のユーザ機器（ＵＥ）における通信方法であって、
前記方法は、
ネットワークからスケジューリング情報を受信することであって、前記スケジューリング情報は、ダウンリンク（ＤＬ）リソース割当情報及び新データインジケータ（ＮＤＩ）を含む、ことと、
前記スケジューリング情報が第１のＵＥ識別に対して受信され、前記ＮＤＩが第１の値を有する場合、前記スケジューリング情報をセミパーシステントスケジューリングの設定情報として用いて、少なくとも２つの伝送時間間隔（ＴＴＩ）の間に、前記ネットワークからダウンリンクデータパケットを受信することと、
前記スケジューリング情報が前記第１のＵＥ識別に対して受信され、前記ＮＤＩが第２の値を有する場合、前記スケジューリング情報を用いて、１つの伝送時間間隔（ＴＴＩ）の間に、前記ネットワークから再伝送データパケットを受信することであって、前記再伝送データパケットは、セミパーシステントスケジューリングに従って受信されるようにスケジューリングされたデータパケットに関連する、ことと、
前記スケジューリング情報が第２のＵＥ識別に対して受信される場合、前記スケジューリング情報を用いて、対応するＴＴＩの間に、ダウンリンクデータパケットを受信することと
を含む、方法。
【請求項２】
前記スケジューリング情報が第２のＵＥ識別に対して受信される場合、前記スケジューリング情報を動的スケジューリングに従うリソース割当情報として用いて、前記ネットワークからダウンリンクデータパケットを受信する、請求項１に記載の方法。
【請求項３】
前記第１のＵＥ識別は、セミパーシステントスケジューリングＣ−ＲＮＴＩ（ＳＰＳ−Ｃ−ＲＮＴＩ）である、請求項１に記載の方法。
【請求項４】
前記第２のＵＥ識別は、Ｃ−ＲＮＴＩまたは一時的Ｃ−ＲＮＴＩである、請求項２に記載の方法。
【請求項５】
前記スケジューリング情報は、物理ダウンリンク制御チャネル（ＰＤＣＣＨ）を通じて受信される、請求項１に記載の方法。
【請求項６】
無線通信システム内で使用するユーザ機器（ＵＥ）であって、
前記ユーザ機器は、
ネットワークからスケジューリング情報を受信する手段であって、前記スケジューリング情報は、ダウンリンク（ＤＬ）リソース割当情報及び新データインジケータ（ＮＤＩ）を含む、手段と、
前記スケジューリング情報が第１のＵＥ識別に対して受信され、前記ＮＤＩが第１の値を有する場合に、前記スケジューリング情報をセミパーシステントスケジューリングの設定情報として用いて、少なくとも２つの伝送時間間隔（ＴＴＩ）の間に、前記ネットワークから初期伝送データパケットを受信する手段と、
前記スケジューリング情報が前記第１のＵＥ識別に対して受信され、前記ＮＤＩが第２の値を有する場合、前記スケジューリング情報を用いて、１つの伝送時間間隔（ＴＴＩ）の間に、前記ネットワークから再伝送データパケットを受信する手段であって、前記再伝送データパケットは、前記セミパーシステントスケジューリングに従って受信されたデータパケットに関連する、手段と、
前記スケジューリング情報が第２のＵＥ識別に対して受信される場合、前記スケジューリング情報を用いて、対応するＴＴＩの間に、ダウンリンクデータパケットを受信する手段と
を含む、ユーザ機器。
【請求項７】
前記スケジューリング情報が第２のＵＥ識別に対して受信される場合、前記スケジューリング情報を動的スケジューリングに従うリソース割当情報として用いて、前記ネットワークからダウンリンクデータパケットを受信する手段をさらに含む、請求項６に記載のユーザ機器。
【請求項８】
前記第１のＵＥ識別は、セミパーシステントスケジューリングＣ−ＲＮＴＩ（ＳＰＳ−Ｃ−ＲＮＴＩ）である、請求項６に記載のユーザ機器。
【請求項９】
前記第２のＵＥ識別は、Ｃ−ＲＮＴＩまたは一時的Ｃ−ＲＮＴＩである、請求項７に記載のユーザ機器。
【請求項１０】
前記スケジューリング情報は、物理ダウンリンク制御チャネル（ＰＤＣＣＨ）を通じて受信される、請求項７に記載のユーザ機器。
【手続補正２】
【補正対象書類名】明細書
【補正対象項目名】００３０
【補正方法】変更
【補正の内容】
【００３０】
本発明による効果は以上の効果に制限されず、言及されていない別の効果は、以下の発明の詳細な説明から、本発明の属する技術分野における通常の知識を有する者には明らかになる。
例えば、本発明は以下の項目を提供する。
（項目１）
無線通信システムにおける端末でのデータ通信方法であって、
ネットワークからダウンリンクチャネルリソース割当情報及び特定指示子を含むスケジューリング情報を受信する段階と、
上記スケジューリング情報が第１端末識別子を含み、上記特定指示子が第１値を持つ場合、上記スケジューリング情報をパーシステントスケジューリング方式の設定情報として用いて、上記ネットワークから伝送されるダウンリンクデータパケットを受信する段階と、
上記スケジューリング情報が第１端末識別子を含み、上記特定指示子が第２値を持つ場合、上記スケジューリング情報を用いて、上記ネットワークから伝送される再伝送データパケットを受信する段階と、
を含む、データ通信方法。
（項目２）
上記スケジューリング情報が第２端末識別子を含む場合、上記スケジューリング情報を動的スケジューリング方式によるチャネルリソース割当情報として用いることを特徴とする、項目１に記載のデータ通信方法。
（項目３）
上記スケジューリング情報が第１端末識別子を含み、上記特定指示子が第１値を持つ場合、上記スケジューリング情報は、少なくとも二つの伝送時間区間で用いられることを特徴とする、項目１に記載のデータ通信方法。
（項目４）
上記スケジューリング情報が第１端末識別子を含み、上記特定指示子が第２値を有するか、または、上記スケジューリング情報が第２端末識別子を含む場合、上記スケジューリング情報は、一つの伝送時間区間で用いられることを特徴とする、項目２に記載のデータ通信方法。
（項目５）
上記第１端末識別子は、ＳＰＳ（Ｓｅｍｉ−Ｐｅｒｓｉｓｔｅｎｔ  Ｓｃｈｅｄｕｌｉｎｇ）−Ｃ−ＲＮＴＩであることを特徴とする、項目１に記載のデータ通信方法。
（項目６）
上記特定指示子は、ＮＤＩ（Ｎｅｗ  Ｄａｔａ  Ｉｎｄｉｃａｔｏｒ）であることを特徴とする、項目１に記載のデータ通信方法。
（項目７）
上記第２端末識別子は、Ｃ−ＲＮＴＩまたは臨時（ｔｅｍｐｏｒａｒｙ）Ｃ−ＲＮＴＩであることを特徴とする、項目２に記載のデータ通信方法。
（項目８）
上記スケジューリング情報は、ＰＤＣＣＨ（Ｐｈｙｓｉｃａｌ  Ｄｏｗｎｌｉｎｋ  Ｃｏｎｔｒｏｌ  Ｃｈａｎｎｅｌ）を通じて受信されることを特徴とする、項目１に記載のデータ通信方法。
（項目９）
上記ダウンリンクデータパケットは、初期伝送データパケットであることを特徴とする、項目１に記載のデータ通信方法。
（項目１０）
上記再伝送データパケットは、パーシステントスケジューリング方式による初期伝送データパケットに対する再伝送パケットであることを特徴とする、項目９に記載のデータ通信方法。
（項目１１）
無線通信システムにおける端末でのデータ通信方法であって、
ネットワークからアップリンクチャネルリソース割当情報及び特定指示子を含むスケジューリング情報を受信する段階と、
上記スケジューリング情報が第１端末識別子を含み、上記特定指示子が第１値を持つ場合、上記スケジューリング情報をパーシステントスケジューリング方式の設定情報として用いて、上記ネットワークにアップリンクデータを伝送する段階と、
上記スケジューリング情報が第１端末識別子を含み、上記特定指示子が第２値を持つ場合、上記スケジューリング情報を用いて、上記ネットワークに再伝送データを伝送する段階と、
を含む、データ通信方法。
（項目１２）
上記第１スケジューリング情報が第２端末識別子を含む場合、上記スケジューリング情報を動的スケジューリング方式によるチャネルリソース割当情報として用いることを特徴とする、項目１１に記載のデータ通信方法。
（項目１３）
上記スケジューリング情報が第１端末識別子を含み、上記特定指示子が第１値を持つ場合、上記スケジューリング情報は、少なくとも二つの伝送時間区間で用いられることを特徴とする、項目１１に記載のデータ通信方法。
（項目１４）
上記スケジューリング情報が第１端末識別子を含み、上記特定指示子が第２値を有するか、または、上記スケジューリング情報が第２端末識別子を含む場合、上記スケジューリング情報は、一つの伝送時間区間で用いられることを特徴とする、項目１１に記載のデータ通信方法。
（項目１５）
上記第１端末識別子は、ＳＰＳ−Ｃ−ＲＮＴＩであることを特徴とする、項目１１に記載のデータ通信方法。
（項目１６）
上記特定指示子は、ＮＤＩ（Ｎｅｗ  Ｄａｔａ  Ｉｎｄｉｃａｔｏｒ）であることを特徴とする、項目１１に記載のデータ通信方法。
（項目１７）
上記第２端末識別子は、Ｃ−ＲＮＴＩまたは臨時Ｃ−ＲＮＴＩであることを特徴とする、項目１２に記載のデータ通信方法。
（項目１８）
上記スケジューリング情報は、ＰＤＣＣＨを通じて受信されることを特徴とする、項目１１に記載のデータ通信方法。
（項目１９）
上記アップリンクデータパケットは、初期伝送データパケットであることを特徴とする、項目１１に記載のデータ通信方法。
（項目２０）
上記再伝送データパケットは、パーシステントスケジューリング方式による初期伝送データパケットに対する再伝送パケットであることを特徴とする、項目１９に記載のデータ通信方法。
（項目２１）
無線通信システムにおける端末でのデータ通信方法であって、
ネットワークからパーシステントスケジューリングの設定のためのスケジューリング情報を受信する段階と、
上記ネットワークから上記スケジューリング情報を用いて少なくとも二つのダウンリンクデータパケットを受信する段階と、
を含み、
上記受信された各ダウンリンクデータパケットのＨＡＲＱプロセス識別子を、上記ネットワークからあらかじめ割り当てられた少なくとも二つのＨＡＲＱプロセス識別子（ＨＡＲＱ  Ｐｒｏｃｅｓｓ  ＩＤｓ）のうちの各ＨＡＲＱプロセス識別子に順次に設定することを特徴とする、データ通信方法。
（項目２２）
上記受信された少なくとも二つのダウンリンクデータパケットは、初期伝送データパケットであることを特徴とする、項目２１に記載のデータ通信方法。
（項目２３）
上記スケジューリング情報は、上記端末を識別するＳＰＳ−Ｃ−ＲＮＴＩと特定値に設定されたＮＤＩとを含むことを特徴とする、項目２１に記載のデータ通信方法。
（項目２４）
上記スケジューリング情報は、ダウンリンクチャネルリソース割当情報及びＨＡＲＱ関連情報を含むことを特徴とする、項目２１に記載のデータ通信方法。
（項目２５）
無線通信システムにおけるネットワークでのデータ通信方法であって、
端末にパーシステントスケジューリング方式によるダウンリンクデータ受信のための少なくとも二つのＨＡＲＱプロセス識別子を割り当てる段階と、
上記端末にパーシステントスケジューリングの設定のためのスケジューリング情報を伝送する段階と、
上記端末に上記スケジューリング情報によって少なくとも二つのダウンリンクデータパケットを伝送する段階と、
を含み、
上記端末で上記受信した各ダウンリンクデータパケットのＨＡＲＱプロセス識別子は、上記ネットワークからあらかじめ割り当てられた少なくとも二つのＨＡＲＱプロセス識別子のうちの各ＨＡＲＱプロセス識別子に順次に設定されることを特徴とする、データ通信方法。
（項目２６）
上記少なくとも二つのダウンリンクデータパケットは、初期伝送データパケットであることを特徴とする、項目２５に記載のデータ通信方法。
（項目２７）
上記スケジューリング情報は、上記端末を識別するＳＰＳ−Ｃ−ＲＮＴＩと特定値に設定されたＮＤＩとを含むことを特徴とする、項目２５に記載のデータ通信方法。
（項目２８）
上記スケジューリング情報は、ダウンリンクチャネルリソース割当情報及びＨＡＲＱ関連情報を含むことを特徴とする、項目２５に記載のデータ通信方法。